(57)【要約】【課題】特別遊技状態中に、従来構成よりも興趣に富んだ演出を実行し得るパチンコ遊技機を提供する。【解決手段】大入賞口が所定態様で開放状態となる特別遊技状態にあって、遊技球の大入賞口通過を前記球検知手段が検知するたびに、一連の演出音を時間分割してなる部分演出音を順番にスピーカから出力させることにより、大入賞口を遊技球が複数回通過するのに亘って前記一連の演出音を出力する連続球通過音演出を実行するよう構成する。【選択図】図５
2015150231.tif 000002
【特許請求の範囲】
【請求項１】
遊技盤に配設されて、遊技球が通過可能となる開放状態と、遊技球が通過不能となる閉鎖状態とに変換される大入賞口と、
遊技球の大入賞口通過を検知する球検知手段と、
所定条件が満たされると、大入賞口が所定態様で開放状態となる特別遊技状態に制御する遊技制御手段と、
演出音を出力するスピーカと、
該スピーカが出力する演出音を制御する演出音制御手段と
を備えるパチンコ遊技機であって、
前記演出音制御手段は、特別遊技状態で、遊技球の大入賞口通過を球検知手段が検知するたびに、一連の演出音を時間分割してなる部分演出音を順番にスピーカから出力させることにより、大入賞口を遊技球が複数回通過するのに亘って前記一連の演出音を出力する連続球通過音演出を実行するものであることを特徴とするパチンコ遊技機。
【請求項２】
前記演出音制御手段は、前記連続球通過音演出中にあって、所定の有効期間内に、遊技球の大入賞口通過を前記球検知手段が所定回数以上検知しないと、当該連続球通過音演出を途中終了することを特徴とする請求項１に記載のパチンコ遊技機。
【請求項３】
前記演出音制御手段は、少なくとも開始から１又は複数の部分演出音が共通し、かつ全体が相違する複数種類の前記連続球通過音演出を備え、前記連続球通過音演出処理では、実行する前記連続球通過音演出を遊技の状態に応じて選択することで、少なくとも一部の前記連続球通過音演出の実行によって、前記遊技の状態を示唆又は報知することを特徴とする請求項１又は請求項２に記載のパチンコ遊技機。
【発明の詳細な説明】
【技術分野】
【０００１】
本発明は、遊技球が所定の球通過口を通過したタイミングで音演出を実行するパチンコ遊技機に関する。
【背景技術】
【０００２】
従来のパチンコ遊技機にあっては、遊技球が所定の球通過口を通過した時に、効果音を出力して、遊技者に当該遊技球の通過を報知するものが知られている（例えば、特許文献１）。また、従来のパチンコ遊技機にあって、遊技球が所定の球通過口を通過した時に、出力する音の内容によって、遊技の状態を示唆・報知するものが知られている。
【０００３】
また、従来の多くのパチンコ遊技機では、遊技球が特定の球通過口を通過するのを契機に抽選が行われ、抽選結果が当たりとなった場合に、大入賞口が所定態様で開放状態となる特別遊技状態に移行して、遊技者が多量の賞球を獲得可能となるよう構成されている。また、特別遊技状態では、画像表示器やランプ、スピーカ等を用いた様々な演出が実行され、遊技者の賞球獲得を盛り上げるよう構成されている。
【先行技術文献】
【特許文献】
【０００４】
【特許文献１】特開２０１３−１８８３１２号公報
【発明の概要】
【発明が解決しようとする課題】
【０００５】
上述のように、従来のパチンコ遊技機には、遊技球が所定の球通過口を通過した時に、効果音を出力するものがあるが、かかる効果音は、長くても数秒程度のものであり、短く、多様性に欠けている。一方で、特別遊技状態中の演出は、盛大な演出が実行されているが、かかる演出は、遊技盤上の遊技球の転動態様とは関係なく実行されるものであり、遊技球の動きとの結びつきが弱いという欠点がある。
【０００６】
本発明は、かかる現状に鑑みてなされたものであり、特別遊技状態中に、従来構成よりも興趣に富んだ演出を実行し得るパチンコ遊技機の提供を目的とする。
【課題を解決するための手段】
【０００７】
本発明は、遊技盤に配設されて、遊技球が通過可能となる開放状態と、遊技球が通過不能となる閉鎖状態とに変換される大入賞口と、遊技球の大入賞口通過を検知する球検知手段と、所定条件が満たされると、大入賞口が所定態様で開放状態となる特別遊技状態に制御する遊技制御手段と、演出音を出力するスピーカと、該スピーカが出力する演出音を制御する演出音制御手段とを備えるパチンコ遊技機であって、前記演出音制御手段は、特別遊技状態で、遊技球の大入賞口通過を球検知手段が検知するたびに、一連の演出音を時間分割してなる部分演出音を順番にスピーカから出力させることにより、大入賞口を遊技球が複数回通過するのに亘って前記一連の演出音を出力する連続球通過音演出を実行するものであることを特徴とするパチンコ遊技機である。
【０００８】
ここで、本発明に係る「演出音」とは、遊技機が演出目的で出力するメロディーや歌、キャラクターボイスなどの音全般を指し、連続球通過音演出によって出力する「一連の演出音」には、音楽や歌の一部または全部、キャラクターの決め台詞などを好適に採用できる。
【０００９】
本発明に係る連続球通過音演出によれば、単に大入賞口を遊技球が通過したタイミングに合わせて音演出が実行されるだけでなく、遊技球が大入賞口を通過するたびに、部分演出音が実行され、かかる部分演出音が組み合わさることにより、一連の演出音からなる音演出が実現されるため、従来にない興趣に富んだ音演出を実現可能となる。特に、本発明に係る連続球通過音演出では、遊技球が大入賞口を通過するリズムに合わせて部分演出音が出力されるため、遊技者は、遊技球の転動態様が生み出す、毎回異なる独特のリズムで一連の音演出を楽しむことができ、これにより、特別遊技状態をより一層盛り上げることが可能となる。
【００１０】
本発明にあって、前記演出音制御手段は、前記連続球通過音演出中にあって、所定の有効期間内に、遊技球の大入賞口通過を前記球検知手段が所定回数以上検知しないと、当該連続球通過音演出を途中終了する構成が提案される。
【００１１】
かかる構成にあっては、遊技球が大入賞口を通過する頻度が低いと、連続球通過音演出が途中終了してしまうため、遊技者に、有効期間内に大入賞口に所定個数の遊技球を通過させて、連続球通過音演出を最後まで実行させるという新たな遊技性を特別遊技状態に設けることが可能となる。
【００１２】
また、本発明にあって、前記演出音制御手段は、少なくとも開始から１又は複数の部分演出音が共通し、かつ全体が相違する複数種類の前記連続球通過音演出を備え、前記連続球通過音演出処理では、実行する前記連続球通過音演出を遊技の状態に応じて選択することで、少なくとも一部の前記連続球通過音演出の実行によって、前記遊技の状態を示唆又は報知する構成が提案される。
【００１３】
かかる構成にあっては、連続球通過音演出の種類によって、遊技者が遊技の状態を推測したり知得したりできるため、連続球通過音演出の価値を高めることができる。ここで、連続球通過音演出は、最初の１又は複数の部分演出音が出力されただけでは、その種類を判別困難であるため、複数の部分演出音の出力期間にわたって、遊技者を楽しませることが可能となる。
【発明の効果】
【００１４】
以上に述べたように、本発明によれば、特別遊技状態中に、従来構成よりも興趣に富んだ音演出を実行できるから、当該音演出によって特別遊技状態を一段と盛り上げることが可能となる。
【図面の簡単な説明】
【００１５】
【図１】パチンコ遊技機１の斜視図である。
【図２】遊技盤１０の正面図である。
【図３】センターケース１３の拡大図である。
【図４】遊技を制御する制御回路を示すブロック図である。
【図５】球通過音演出の実行態様を示すタイミングチャートである。
【図６】連続球通過音演出の実行態様を示すタイミングチャートである。
【図７】球通過音演出の種類を示す図表である。
【図８】球通過音演出実行コマンド決定に係る判定テーブルを示す図表である。
【図９】メイン処理の処理内容を示すフローチャートである。
【図１０】入賞検出処理の処理内容を示すフローチャートである。
【図１１】大入賞口処理の処理内容を示すフローチャートである。
【図１２】大入賞口開放処理の処理内容を示すフローチャートである。
【図１３】球通過音演出開始処理の処理内容を示すフローチャートである。
【図１４】球通過音演出処理の処理内容を示すフローチャートである。
【発明を実施するための形態】
【００１６】
本発明の実施形態を、以下の実施例に従って説明する。なお、以下の実施例では、本発明に係る「球検知手段」は、大入賞口２５に配設された「球検知スイッチ」により実現される。また、本発明に係る「遊技状態制御手段」は、主に、「主制御基板６０」によって実現される。また、本発明に係る「演出音制御手段」は、主に、「主制御基板６０」，「演出制御基板６４」及び「音源制御基板６６」によって実現される。
【００１７】
パチンコ遊技機１は、図１に示すように、遊技島設備（図示省略）に固定される外枠２と、この外枠２の前面開口部を覆う遊技機本体３とからなる。遊技機本体３は、中央上部の略円形の開口部に遊技盤１０が取り付けられた前枠５を備え、この前枠５の一側縁がヒンジ部材４，４を介して外枠２に開閉可能に枢着されている。さらに前枠５には、遊技盤１０を覆うガラス板６が設けられている。また、前枠５の下部には、上受皿７と下受皿８とが上下に列設されており、下受皿８の右側方に発射ハンドル９が配設される。そして、前枠５の右上部には、本発明に係るスピーカ２２が配設される。
【００１８】
図２は、遊技盤１０の正面図である。遊技盤１０の前面には、ガイドレール１１によって略円形の遊技領域１２が区画形成されている。遊技領域１２の中央には、各種遊技部材を組み込んだセンターケース１３が配設される。図３は、この遊技領域１２の中央に配設されたセンターケース１３の正面図である。センターケース１３には、画像表示器１４が組み付けられている。画像表示器１４は、液晶表示器又はＣＲＴ表示器等からなり、その表示画面には、各種演出画像が表示される。
【００１９】
画像表示器１４には、図３に示すように、複数のＬＥＤ（発光ダイオード）が横並びに配設される。これらのＬＥＤのうち、中央の四個は特別図柄表示装置１５であり、右側の二個は普通図柄表示装置１６であり、左側の四個は普通始動記憶数表示装置１７である。また、右上部の四個は特別始動記憶数表示装置１８である。
【００２０】
普通図柄表示装置１６は、ＬＥＤの点灯態様によって普通図柄を表示するものである。後述する普通始動口１９を遊技球が通過すると、このＬＥＤが順次点滅することで普通図柄を変動させ、その後にいずれかのＬＥＤが点灯した態様で普通図柄を停止表示する。左側のＬＥＤのみが点灯した態様が当り態様、左右のＬＥＤが点灯した態様がハズレ態様に設定されており、当り態様で停止表示された場合には、後述の普通電動役物２３が拡開作動する。
【００２１】
図２に示すように、センターケース１３の左側方には普通始動口１９を有する普通始動ゲート２１が設けられており、普通始動口１９を遊技球が通過すると、この普通始動ゲート２１に具備された球検知スイッチが球検知信号を出力し、これにより普通図柄に係る始動記憶（普通始動記憶）が生成される。そして、かかる普通始動記憶を消化することにより普通図柄が変動・停止表示することとなる。
【００２２】
前記普通始動記憶数表示装置１７は、図３に示すように、四個のＬＥＤからなるものであり、点灯したＬＥＤの数によって、未消化の普通始動記憶の数を報知する。すなわち、普通始動記憶がｎ個保留されている場合は、四個のＬＥＤのうち、左からｎ個が点灯し、普通始動記憶が一個消化されるたびに、点灯中のＬＥＤのうち、一番右のＬＥＤが消灯する。
【００２３】
前記特別図柄表示装置１５は、ＬＥＤの点灯態様によって特別図柄を表示するものである。後述するように、特別図柄表示装置１５は、所定契機によって、各ＬＥＤを点滅させることにより夫々の特別図柄を変動させ、その後にいずれかのＬＥＤが点灯した態様で特別図柄を停止表示する。本実施例では、一番右のＬＥＤが点灯した態様がハズレ態様、それ以外のＬＥＤのいずれかが点灯した態様が当り態様と設定されており、いずれかの特別図柄が当り態様で停止表示された場合に、いわゆる「大当り」となって後述の特別遊技状態に移行する。
【００２４】
前記特別始動記憶数表示装置１８は、図３に示すように、四個のＬＥＤからなるものであり、点灯したＬＥＤの数によって、後述する未消化の特別始動記憶の数を報知する。すなわち、特別始動記憶がｎ個保留されている場合は、四個のＬＥＤのうち、左からｎ個が点灯し、特別始動記憶が一個消化されるたびに、点灯中のＬＥＤのうち、一番右のＬＥＤが消灯する。
【００２５】
図２に示すように、センターケース１３の直下位置には特別始動口２０を有する普通電動役物２３が配設される。普通電動役物２３は開閉翼片２４を備えている。開閉翼片２４は、ソレノイド（図示省略）によって駆動されるものであり、普通図柄表示装置１６が普通図柄を当り態様で停止表示すると、所定時間拡開する位置に駆動されて特別始動口２０の開口度が所定時間拡大される。そして、特別始動口２０を遊技球が通過すると、普通電動役物２３に内蔵された球検知スイッチが球検知信号を出力し、該球検知信号により特別図柄に係る始動記憶（特別始動記憶）が生成される。そして、かかる特別始動記憶に基づいて特別図柄表示装置１５の特別図柄が変動・停止することとなる。
【００２６】
普通電動役物２３の直下、かつアウト口３０の直上方位置には、大入賞口２５を有する特別電動役物２６が配設されている。この特別電動役物２６は横長矩形状の開閉片２７を具備し、この開閉片２７は内蔵するソレノイドにより開閉制御されることによって大入賞口２５が開放状態又は閉鎖状態に変換される。また、特別電動役物２６の内部には入賞した遊技球を検知する球検知スイッチが設けられている。この球検知スイッチは、本発明に係る球検知手段を構成するものである。
【００２７】
また、特別電動役物２６の両側には、一般入賞口２８を有する一般入賞装置２９が複数配設されており、遊技球が一般入賞口２８に入賞すると、一般入賞装置２９に内蔵された球検知スイッチが球検知信号を出力し、かかる球検知信号に基づいて所定数の賞球が払い出される。
【００２８】
次に、本実施例のパチンコ遊技機の基本的な遊技作動を、図２，３を参照して簡単に説明する。なお、本実施例のパチンコ遊技機の基本的な遊技作動は、既存のパチンコ遊技機と同様であるため詳細な説明は省略する。
【００２９】
本発明のパチンコ遊技機にあっては、通常の遊技状態（通常遊技状態）に加え、特別図柄の当選確率（大当り確率）が通常確率よりも高確率となる確変遊技状態と、特別図柄の当り（大当り）によって開始される上記特別遊技状態といった三つの遊技状態がある。
【００３０】
通常遊技状態及び確変遊技状態にあっては、遊技球が発射装置から遊技盤１０の遊技領域１２に発射され、該遊技球が特別始動口２０を通過した場合、乱数抽選が行われて特別始動記憶が生成される。この特別始動記憶は、特別図柄の変動・停止パターンや変動中の演出パターンを決定するための乱数データである。そして、生成された特別始動記憶に基づいて、特別図柄を変動表示させた後に停止表示する一連の図柄生成行程が実行される。詳述すると、図柄生成行程では、特別図柄の変動（ＬＥＤの点滅）が、２〜１５０秒程度継続し、変動後に特別図柄が一定時間（１秒）以上停止表示される。ここで、特別図柄が当り態様で停止表示されると大当りとなり、後述の特別遊技状態に移行する。
【００３１】
また、図柄生成行程中は、画像表示器１４で画像演出が行われ、また、画像演出に合わせてスピーカ２２や装飾用ランプが所定態様で作動する。図柄生成行程中の画像演出は、「０」〜「９」のいずれかの図柄で停止する三つの演出図柄を中心に行われる。すなわち、図柄生成行程中は、特別図柄の変動と同期して演出図柄が変動し、特別図柄の停止と同期して演出図柄が当り態様又はハズレ態様で停止表示される。ここで、演出図柄の当り態様は、三つの演出図柄が同一図柄で停止した態様と規定される。そして、図柄生成行程中の画像演出では、時折、リーチ演出が行われる。
【００３２】
遊技球の特別始動口２０通過によって生成される特別始動記憶は一時的に記憶保持され、古い特別始動記憶から順番に図柄生成行程に用いられる。そして、図柄生成行程の実行により当該特別始動記憶が消化されると記憶消去される。本実施例では、記憶保持可能な特別始動記憶の上限数が四個に設定されており、特別始動記憶を四個記憶保持している時は、遊技球が特別始動口２０を通過しても、新たな特別始動記憶を記憶保持しないよう構成される。
【００３３】
次に、通常遊技状態及び確変遊技状態での普通図柄表示装置１６の変動態様について概説する。
遊技球が普通始動口１９を通過すると、普通図柄表示装置１６の二個のＬＥＤが点滅開始して、普通図柄が変動開始する。一方、この普通図柄表示装置１６の点滅中又は普通電動役物２３の開放動作中に、遊技球が普通始動口１９を通過すると、普通始動記憶数表示装置１７のＬＥＤが追加点灯される。普通図柄は所定時間経過すると変動を停止し、当り態様又はハズレ態様で停止表示される。そして当り態様で停止表示された場合には普通電動役物２３の拡開作動が実行されて特別始動口２０に入賞し易い状態となる。普通図柄の停止表示後、又は普通電動役物２３の開放動作終了後に、普通始動記憶数表示装置１７のＬＥＤが点灯している場合には、該ＬＥＤが一つ消灯し、普通図柄は再び変動開始することとなる。
【００３４】
次に、通常遊技状態と確変遊技状態の違いを説明する。
確変遊技状態は、通常遊技状態の確率より高確率で特別図柄が当り易くなる遊技状態である。具体的には、通常遊技状態中の当選確率が１／３００であるのに対し、確変遊技状態では当選確率が１／３０となるので、確変遊技状態は通常遊技状態よりも１０倍当り易いといえる。また、確変遊技状態では、特別図柄を変動表示する平均時間が通常遊技状態の半分に短縮されるとともに、普通図柄の変動時間も通常遊技状態よりも短縮される。さらには、確変遊技状態では、普通図柄の当選確率が通常遊技状態よりも高確率となるとともに、普通電動役物２３が拡開作動する時間が通常遊技状態より長くなり、特別始動口２０が長時間拡開される。このように確変遊技状態では、普通電動役物の開放頻度や開放時間が増えることで、特別始動口２０に入賞し易くなる。
【００３５】
次に、特別遊技状態について説明する。
特別遊技状態は、大入賞口２５が開放状態となる開放ラウンドを所定回数（１５回）実行する遊技状態であり、上述のように、通常遊技状態又は確変遊技状態でいずれかの特別図柄が当り態様で停止表示されて大当りとなると開始され、所定回数の開放ラウンドを終了すると特別遊技状態が終了し、通常遊技状態又は確変遊技状態へ移行する。ここで、１回の開放ラウンドは、大入賞口２５に１０個の遊技球が入賞するか、または、開放時間が３０秒に達すると終了し、大入賞口２５が開放状態から閉鎖状態に復帰する。そして、開放ラウンドが所定回数に達していない場合は、インターバルをおいて、次の開放ラウンドが開始される。この特別遊技状態では、大入賞口２５へ１００個以上の入賞が期待でき、遊技者は多量の賞球を獲得できる。
【００３６】
次に、本実施例のパチンコ遊技機の遊技作動を制御する制御回路を、図４を参照して説明する。
【００３７】
マイクロコンピュータを構成する主制御基板６０には、パチンコ遊技機の遊技作動等を制御するための基板回路が設けられている。この主制御基板６０は、遊技の統括的な制御を実行するものであり、この基板回路上には主制御用中央制御装置ＣＰＵが配設されている。この主制御用中央制御装置ＣＰＵには、演算処理に用いる動作プログラムを格納する記憶装置ＲＯＭと、必要なデータを随時読み書きできる記憶装置ＲＡＭとが、データを読み書きするアドレスを指定する情報を一方的に伝えるアドレスバス（図示省略）と、データのやり取りを行うデータバス（図示省略）を介して接続され、主制御基板６０の基板回路を構成している。記憶装置ＲＯＭには、制御プログラムや、特別始動口２０の入賞時に生成される特別始動記憶を参照して、当落判定や図柄の変動・停止態様等を決定するための各種テーブルが格納されている。
【００３８】
一方、記憶装置ＲＡＭには、各種球検知スイッチからの球検知信号等が一時的に記憶される記憶エリア、各種のタイマや乱数カウンタ、計数カウンタ等を構成するレジスタ領域、及びワークエリア等が設けられている。
【００３９】
さらに、この主制御基板６０の基板回路には、所定のクロックパルスを出力するクロック装置（図示省略）が設けられ、主制御用中央制御装置ＣＰＵに接続されている。そして主制御用中央制御装置ＣＰＵは、一定間隔のクロックパルスによって時系列的に演算処理を行い、一連の処理作動を順次実行する。また、このクロック装置により出力されたクロックパルスをカウントして、時間を計測するタイマＴＭも接続されている。
【００４０】
ここで主制御用中央制御装置ＣＰＵ、及び後述する各制御基板６３〜６７に設置されている各中央制御装置ＣＰＵは、所定のデータの処理を行う演算ユニット（ＡＬＵ）を連成した演算装置と、この演算装置に入出力するデータや読み込んだ命令を保管しておくレジスタと、命令を解読するデコーダ等によって構成されるものである。
【００４１】
記憶装置ＲＡＭに設けられた特別始動記憶領域は、四つの記憶領域１〜４を備え、各記憶領域１〜４に特別始動記憶を一個ずつ記憶するようになっている。特別始動記憶は、古いものから順に、記憶領域１、記憶領域２、記憶領域３、記憶領域４の順番に記憶される。図柄生成行程の開始時には、記憶領域１の特別始動記憶が読み出され、記憶領域２〜４の特別始動記憶が、記憶領域１〜３にシフトされる。また、記憶装置ＲＡＭには、特別始動記憶領域に記憶される特別始動記憶の保留数が、特別始動記憶数Ｐとして記憶保持される。
【００４２】
主制御基板６０の記憶装置ＲＡＭの記憶領域に設けられる各乱数カウンタについて説明する。
【００４３】
大当りカウンタは０〜２９９の範囲の値を取るものであり、特別始動口２０へ入賞するとその時点の大当りカウンタの値が抽出される。そして抽出された大当りカウンタ値は、所定の大当り値と比較され、抽出された大当りカウンタ値が大当り値と一致していた場合には「大当り（特別図柄の当選）」となり、不一致であった場合には「ハズレ」となる。ここで所定大当り値には、高確率時の大当り値「０〜９」と通常確率時の大当り値「７」の二種類があり、通常遊技状態では、大当りカウンタ値は通常確率時の大当り値と比較されるが、上述の確変遊技状態では、高確率時の大当り値と比較される。すなわち、通常遊技状態では、抽出された大当りカウンタ値が「７」の場合にのみ当選となり、確変遊技状態では、抽出された大当りカウンタ値が「０〜９」の場合に当選となる。したがって、通常遊技状態では、当選確率は１／３００であり、確変遊技状態では、当選確率は１０／３００（＝１／３０）となる。
【００４４】
また、図柄カウンタは０〜９の範囲の値を取るものであり、特別始動口２０へ入賞するとその時点の図柄カウンタの値が抽出される。上記大当りカウンタ値の判定結果が「大当り」である場合に、抽出された図柄カウンタの抽出値が、当選種類に対応する所定の当選種判定値と一致するか否かによって当りの種類が決定される。具体的には、抽出された図柄カウンタ値が「０〜４」の場合には「通常当り」と決定され、抽出された図柄カウンタ値が「５〜９」の場合には「確変当り」と決定される。なお、「通常当り」と決定された場合は、特別遊技状態終了後に通常遊技状態に移行し、「確変当り」と決定された場合は、特別遊技状態終了後に確変遊技状態に移行する。すなわち、本実施邸にあっては、大当りとなった時に、特別遊技状態終了後に確変遊技状態に移行する確率は５０％である。
【００４５】
また、リーチカウンタは０〜９９の範囲の値を取るものであり、特別始動口２０へ入賞するとその時点のリーチカウンタの値が抽出される。抽出されたリーチカウンタ値は、図柄生成行程中にリーチ演出を行うか否かを決定するのに用いられる。リーチ演出を行うか否かは、このリーチカウンタ値だけでなく、上記大当りカウンタ値の判定結果や遊技状態や特別始動記憶数Ｐなどに応じて決定される。
【００４６】
態様カウンタは、０〜３９９の範囲の値を取るものであり、特別始動口２０へ入賞するとその時点の態様カウンタの値が抽出される。抽出された態様カウンタ値は、図柄生成行程中の演出内容を決定するのに用いられる。図柄生成行程中の演出内容は、この態様カウンタ値だけでなく、上記大当りカウンタ値やリーチカウンタ値、さらには、遊技状態や特別始動記憶数Ｐなどに応じて決定される。
【００４７】
特別始動口２０への入賞を契機に各カウンタから抽出される以上の各カウンタ値は、図柄生成行程における特別図柄の変動態様及び停止図柄を規定するものであり、抽出後は特別始動記憶として纏められて記憶装置ＲＡＭの特別始動記憶領域に保持され、当該特別始動記憶に基づいて図柄生成行程が開始されると消去される。
【００４８】
普通当りカウンタは０〜３０の範囲の値を取るものであり、遊技球が普通始動ゲート２１を通過するとその時点の普通当りカウンタの値が抽出される。そして抽出された普通当りカウンタ値は、所定の当り値と比較され、抽出された普通当りカウンタ値が該当り値と一致していた場合には内部的に「当り（普通図柄の当選）」となり、不一致であった場合には「ハズレ」となる。
【００４９】
また、球通過音演出カウンタは０〜９９の値を取るものであり、特別始動記憶が生成された時にその時点の球通過音演出カウンタの値が抽出される。この球通過音演出カウンタの抽出値は、球通過音演出を実行するか否かを決定するのに用いられる。
【００５０】
また、この主制御基板６０の基板回路には、主制御用中央制御装置ＣＰＵが周辺機器とデータ通信を行う入力ポート（図示省略）及び出力ポート（図示省略）が設けられており、この出力ポートを介して主制御基板６０からの制御指令が、図柄制御基板６３、及び演出制御基板６４の各入力ポートに向け、一方向に出力されるように接続されている。また、主制御基板６０の入力ポートには、盤面中継基板６１を介して、普通始動ゲート２１、普通電動役物２３、特別電動役物２６、一般入賞装置２９等が接続されている。そして、主制御基板６０が２ｍｓごとに、これらに内蔵された球検知スイッチの遊技球検出状態を調べ、遊技球検出があると、その球検出信号が波形整形回路により波形整形されて主制御用中央制御装置ＣＰＵに入力され、その情報を記憶装置ＲＡＭに記憶する。また、主制御基板６０の出力ポートには、盤面中継基板６１を介して普通電動役物２３や特別電動役物２６等が接続されており、主制御用中央制御装置ＣＰＵが所定の条件を選出した場合に、これらに内蔵されたソレノイドやモータを作動させる。
【００５１】
上記の図柄制御基板６３には、特別図柄表示装置１５及び普通図柄表示装置１６を制御するための基板回路が設けられている。この基板回路は、特別図柄表示装置１５及び普通図柄表示装置１６のＬＥＤの点灯、点滅等を制御する図柄制御用中央制御装置ＣＰＵに、動作プログラムや、ＬＥＤを所定の発光態様に従って発光させるための発光パターン等の固定データが格納されている記憶装置ＲＯＭと、必要なデータを読み書きする記憶装置ＲＡＭと、入力ポート及び出力ポートとが接続されて構成されている。この図柄制御基板６３は、図柄制御用中央制御装置ＣＰＵで、上記の主制御基板６０から入力ポートを介して入力された制御信号を演算処理し、所定の光データを、出力ポートを介して、特別図柄表示装置１５及び普通図柄表示装置１６のＬＥＤを発光作動するドライバを配した図柄作動基板に出力し、この図柄作動基板が、各装置のＬＥＤを点灯、点滅させる。
【００５２】
上記の演出制御基板６４には、画像表示器１４、演出用ランプ、スピーカ２２等の演出用装置の作動を統括的に制御するための基板回路が設けられる。この基板回路は、演出用装置を制御処理する演出制御用中央制御装置ＣＰＵに、多岐にわたる演出態様に関する固定データが格納されている記憶装置ＲＯＭと、必要なデータを読み書きできる記憶装置ＲＡＭと、入力ポート及び出力ポートとが接続されて構成されている。演出制御基板６４の出力ポートには、画像表示器１４を制御する画像制御基板６５、スピーカ２２を制御する音源制御基板６６、及びＬＥＤランプによる演出を制御する光源制御基板６７が接続されている。そして、演出制御基板６４は、主制御基板６０からの制御信号が入力ポートに入力されると、演出制御用中央制御装置ＣＰＵにおいて演算処理し、該制御信号で指示された演出態様を実行するために、画像制御基板６５、音源制御基板６６、及び光源制御基板６７へ向けて制御信号を送信する。
【００５３】
上記の画像制御基板６５には、画像表示器１４の表示態様を制御するための基板回路が設けられる。この基板回路は、表示態様を制御処理する画像制御用中央制御装置ＣＰＵに、動作プログラムや画像データ等の固定データが格納されている記憶装置ＲＯＭと、描画領域等のデータを読み書きする領域が設けられた記憶装置ＲＡＭと、入力ポート及び出力ポートとが接続されて構成されている。画像制御基板６５は、演出制御基板６４から画像演出等の表示に係る信号を受信すると、画像制御用中央制御装置ＣＰＵにおいて演算処理し、所要の画像データを記憶装置ＲＡＭに書き込んで一画面分の画像データを作成し、出力ポートを介して画像表示器１４に出力し、画像表示器１４の表示画面に、出力した画像データに係る画像を表出させる。
【００５４】
上記の音源制御基板６６には、スピーカ２２から発生する効果音等を制御するための基板回路が設けられる。この基板回路は、音響を制御する音源制御用中央制御装置ＣＰＵに、動作プログラムやサウンドデータ等の固定データが格納されている記憶装置ＲＯＭと、必要なデータを読み書きする記憶装置ＲＡＭと、入力ポート及び出力ポートとが接続されて構成されている。音源制御基板６６は、演出制御基板６４から演出音等の出力に係る信号を受信すると、所要のサウンドデータを記憶装置ＲＡＭで展開・混合してスピーカ２２に送出し、スピーカ２２から出力させる。
【００５５】
上記の光源制御基板６７には、遊技機本体３に配設された多数の演出用ランプ等を制御するための基板回路が設けられている。この基板回路は、演出用ランプ等の点灯、点滅等を制御する光源制御用中央制御装置ＣＰＵに、動作プログラムや、演出ランプを所定の発光態様に従って発光させるための発光パターン等の固定データが格納されている記憶装置ＲＯＭと、必要なデータを読み書きする記憶装置ＲＡＭと、入力ポート及び出力ポートとが接続されて構成されている。この光源制御基板６７は、光源制御用中央制御装置ＣＰＵで、上記の演出制御基板６４から入力ポートを介して入力された制御信号を演算処理し、出力ポートを介して、各種の演出用ランプを点灯、点滅させる。
【００５６】
次に、本発明の要部に係る球通過音演出について説明する。
本実施例では、大入賞口２５を遊技球が通過すると、一定条件下で球通過音演出が実行される。具体的には、本実施例では、特別遊技状態の各開放ラウンドの開始時に行われる抽選に当選した時に球通過音演出が実行される。
【００５７】
球通過音演出は、単独球通過音演出と連続球通過音演出の二種類からなる。単独球通過音演出では、大入賞口２５を遊技球が通過するのと略同時にスピーカ２２から所定の音（ここでは「ド」の音）が出力されて、一回で終了する。一方、連続球通過音演出は、一連のメロディーを一音毎の部分演出音に分割して、大入賞口２５を遊技球が通過するたびに部分演出音を実行するようにしたものである。
【００５８】
単独球通過音演出では、スピーカ２２から「ド」の音が所定時間（例えば１秒）出力される。具体的には、図５に示すタイミングチャートに示すように、単独球通過音演出の実行が決定された開放ラウンドでは、大入賞口２５の開放後、最初の大入賞口２５への入賞タイミング（図５のｔ１時点）と略同時にスピーカ２２から「ド」の音が出力される。一回の開放ラウンドでは、大入賞口２５に１０個の遊技球が入賞可能であるが、かかる単独球通過音演出は、最初の入賞時の音出力で終了するため、ｔ１以降に遊技球が大入賞口２５に入賞しても（図５中のｔ２〜ｔ１０）、音演出が実行されることはない。
【００５９】
本実施例では、下記のように、メロディーの異なる三種類の連続球通過音演出が設けられている。
連続球通過音演出１：「ドレミファソソソ」
連続球通過音演出２：「ドレミファソラシラ」
連続球通過音演出３：「ドレミファソラシド」
各連続球通過音演出では、夫々のメロディーを一音の部分演出音に時間分割し、大入賞口２５に遊技球が入賞するたびに、部分演出音を順番にスピーカ２２から出力する。具体的には、図５に示すように、連続球通過音演出１は、「ド」「レ」「ミ」「ファ」「ソ」「ソ」「ソ」の７音の部分演出音に分割されて、当該開放ラウンドが開始されると、大入賞口２５を遊技球が通過するたびに、「ド」→「レ」→．．．→「ソ」→「ソ」と順番に一音ずつスピーカ２２から出力され、大入賞口２５を遊技球が７回通過して、全ての部分演出音が出力されると終了する。８音のメロディーからなる連続球通過音演出２，３についても、同様に一音ずつ部分演出音に時間分割されて、大入賞口２５を遊技球が通過するたびに一音ずつ出力される。
【００６０】
本実施例では、連続球通過音演出に有効期間（５秒）が設けられており、当該有効期間に大入賞口２５の球検知スイッチが、大入賞口２５への入賞を１回も検知しないと連続球通過音演出が途中終了するよう構成される。具体的には、連続球通過音演出の有効期間は、大入賞口２５を遊技球が通過してから５秒間に設定され、連続球通過音演出では、遊技球が大入賞口２５を通過する間隔が５秒以上となると、連続球通過音演出が途中終了する。図６（ａ）は、連続球通過音演出３が、最後まで実行された場合のタイミングチャートであり、図６（ｂ）は、有効期間の経過により、連続球通過音演出３が途中終了した場合のタイミングチャートである。図６（ａ）では、連続球通過音演出３の開始（ｔ１）から終了（ｔ８）までに、特別始動口２０を遊技球が全て５秒未満の間隔で通過しているため、有効期間が経過することなく連続球通過音演出が最後まで実行される。一方、図６（ｂ）では、連続球通過音演出３の開始（ｔ１）から四回目の入賞（ｔ４）までは、遊技球が特別始動口２０を５秒未満の間隔で通過するが、四回目の入賞（ｔ４）から有効期間（５秒）が経過する時点（ｔ５）までに、遊技球が特別始動口２０を通過しないため、当該時点で連続球通過音演出３が途中終了する。このため、ｔ５以降に遊技球が特別始動口２０を通過しても、残りの部分演出音はスピーカ２２から出力されなくなる。また、本実施例では、大入賞口２５の開放時間が３０秒に達して当該開放ラウンドが終了すると、実行中の連続球通過音演出は、全ての部分演出音を出力していなくても途中終了する。すなわち、本実施例では、開放ラウンドの有効期間である「大入賞口２５の開放から３０秒間」が、連続球通過音演出の第二の有効期間に相当する。
【００６１】
本実施例の球通過音演出は、当該特別遊技状態の後に確変遊技状態に移行するか否かに応じて演出の種類を選択することにより、遊技者に確変遊技状態へ移行する期待度（以下、確変移行期待度と言う。）を報知するよう構成される。すなわち、本実施例では、特別遊技状態の後に確変遊技状態に移行するか否かの状態が、連続球通過音演出によって示唆・報知される「遊技の状態」に相当する。具体的には、図７に示すように、単独球通過音演出の場合は、確変遊技状態である期待度が５０％である。本実施例では、特別遊技状態の後に、確変遊技状態に５０％の確率で移行するよう構成されているため、単独球通過音演出自体は確変移行期待度をほとんど報知しない。そして、連続球通過音演出１では確変移行期待度が約３０％、連続球通過音演出２では確変移行期待度が約８０％、連続球通過音演出３では確変移行期待度が１００％となっている。すなわち、連続球通過音演出１が実行された場合、遊技者は当該特別遊技状態の後に通常（５０％）より低確率（３０％）で確変遊技状態になるとわかり、連続球通過音演出２が実行された場合は、遊技者は通常より高確率（８０％）で確変遊技状態となるとわかる。そして、連続球通過音演出３が実行された場合、遊技者は当該特別遊技状態後に、確実に確変遊技状態となるとわかる。
【００６２】
ここで、本実施例では、連続球通過音演出の最初の部分演出音（「ド」）は、単独球通過音演出と同じである。このため、図５に示すように、ｔ１の時点でスピーカ２２から「ド」の音が出力された場合でも、その時点では、遊技者は球通過音演出の種類を判別することはできず、当該球通過音演出の報知する上記確変移行期待度を正確に把握することができない。例えば、図５中のｔ１の時点で、単独球通過音演出が実行された場合であっても、遊技者は単独球通過音演出と連続球通過音演出の区別がつかないため、確変移行期待度の報知を期待することとなる。また、かかる段階で、さらに、有効期間内（５秒間）に大入賞口２５へ入賞させれば、単独球通過音演出と連続球通過音演出のいずれであるかを判別可能となるため、遊技者に大入賞口２５に遅滞なく入賞させるよう動機付けることができる。
【００６３】
また、本実施例では、三種類の連続球通過音演出は、開始から５，６音は部分演出音が共通している。このため、図５に示すように、ｔ１の時点で連続球通過音演出が開始されても、遊技球が大入賞口２５に五回入賞する時点（ｔ５）までは、遊技者は連続球通過音演出の種類を判別することはできず、当該連続球通過音演出の報知する上記確変移行期待度を正確に把握することができない。このため、本実施例にあっては、連続球通過音演出の種類を判別するために、遊技者に少なくとも５秒間隔で遊技球を大入賞口２５に入賞させるよう動機付けることができる。
【００６４】
以上のように、本実施例にあっては、連続球通過音演出が実行されると、大入賞口２５を遊技球が通過するたびに部分演出音が出力されて、大入賞口２５を遊技球が複数回通過する期間にわたって、部分演出音を組み合わせてなる一連の演出音が出力されるため、特別遊技状態で、従来にない興趣に富んだ音演出を実行することが可能となる。特に、かかる連続球通過音演出では、遊技球が大入賞口２５を通過するタイミングで部分演出音が出力されるため、遊技球の転動態様に合わせた音演出を行うことができ、また、一連の演出音は毎回異なるリズムで出力されることとなるため、遊技者を飽きさせにくいという利点がある。
【００６５】
また、本実施例にあっては、連続球通過音演出は、その種類によって確変移行期待度を報知する、遊技者にとって有益な音演出となっており、また、連続球通過音演出は、出力開始から５，６音の部分演出音が共通しており、６，７音目の部分演出音が出力されるまでは、その種類を判別できないため、遊技球が大入賞口２５を６，７回通過する期間にわたって遊技者の期待を持続させることができるという利点がある。
【００６６】
さらには、本実施例にあっては、遊技球が大入賞口２５を通過する間隔が５秒以上となると、連続球通過音演出が途中終了するよう構成されているため、遊技球を大入賞口２５に５秒未満の間隔で通過させて、連続球通過音演出を最後まで実行させるという新たな遊技性を特別遊技状態に付与できるという利点がある。
【００６７】
次に、球通過音演出の制御方法について説明する。
球通過音演出の開始は、主制御基板６０で決定される。主制御基板６０は開放ラウンドの開始時に球通過音演出の開始を決定すると、演出制御基板６４へ球通過音演出実行コマンドを送信する。球通過音演出実行コマンドは、球通過音演出に合わせて四種類あり、開始すると決定した球通過音演出に対応する球通過音演出実行コマンドが演出制御基板６４へ送信される。また、主制御基板６０は、遊技球が大入賞口２５を通過して球検知スイッチがＯＮになるたびに、演出制御基板６４に大入賞口入賞コマンドを送信する。
【００６８】
演出制御基板６４は、球通過音演出実行コマンドを受信した後に大入賞口入賞コマンドを受信すると、音源制御基板６６を介して球通過音演出の音をスピーカ２２から出力する。単独球通過音演出の場合は、この音出力により球通過音演出が終了する。連続球通過音演出の場合は、演出制御基板６４は、大入賞口入賞コマンドを受信するたびに部分演出音を出力し、全ての部分演出音を出力するまで、これを繰り返す。
【００６９】
また、主制御基板６０は、連続球通過音演出を実行すると決定すると、特別始動口２０の入賞間隔を計測する。そして、入賞間隔が５秒以上となった場合には、演出制御基板６４に球通過音演出終了コマンドを出力する。また、主制御基板６０は、連続球通過音演出中に開放ラウンドを終了する場合にも、球通過音演出終了コマンドを演出制御基板６４に送信する。演出制御基板６４は、球通過音演出終了コマンドを受信した時に、連続球通過音演出を実行中である場合は、当該連続球通過音演出中を途中終了し、それ以降は、大入賞口入賞コマンドを受信しても、残りの部分演出音を出力しないようにする。
【００７０】
上述のように、球通過音演出を開始するか否かは、開放ラウンドの開始時に、主制御基板６０が決定する。具体的には、主制御基板６０は、開放ラウンドの開始時に、球通過音演出カウンタから値を抽出し、抽出した球通過音演出カウンタ値と確変フラグの値とを、図８に示す判定テーブルと比較することで、球通過音演出を実行するか否かを決定し、また、実行すると決定した場合はいずれの球通過音演出を実行するかを決定する。確変フラグは、特別遊技状態の開始時に、大当りが確変当たりであった時に「１」となるものであり、この確変フラグが「１」である場合に、当該特別遊技状態の後に確変遊技状態に移行することとなる。このように、本実施例では、確変フラグの状態に基づいて球通過音演出の実行可否や種類を決定することによって、球通過音演出の内容によって、確変移行期待度を報知し得るよう制御している。
【００７１】
次に、上記構成からなるパチンコ遊技機の制御処理について、図９〜１１に従って説明する。図９は、主制御用中央制御装置ＣＰＵで所定間隔（２ｍｓ）で実行されるメイン処理の制御内容を示すフローチャートである。このメイン処理によって、遊技の主要な制御処理が実現される。
【００７２】
メイン処理では、まず、電源投入時であるか否かの判定を行う（Ｓ１０１）。そして、電源投入時でないと判定した場合には、入賞に係る制御処理を行う入賞検出処理（Ｓ１０２）、各種乱数カウンタの値を更新するカウンタ値更新処理（Ｓ１０３）、異常検出処理（Ｓ１０４）、特別図柄の当選判定等を行う特別始動口処理（Ｓ１０５）、普通図柄の当選判定等を行う普通始動口処理（Ｓ１０６）、特別図柄の表示制御等を行う特別図柄処理（Ｓ１０７）、普通図柄の表示制御を行う普通図柄処理（Ｓ１０８）、特別遊技状態に係る制御を行う大入賞口処理（Ｓ１０９）、普通電動役物２３の作動制御を行う普通電動役物処理（Ｓ１１０）、各制御基板へ制御コマンドを出力するコマンド出力処理（Ｓ１１１）の１０個のサブルーチンを順番に実行する。そして、コマンド出力処理（Ｓ１１１）を実行した後は、各種乱数カウンタの初期値を更新する初期値更新処理（Ｓ１１２）をリセット信号が送信されるまで繰返し実行する。
【００７３】
一方、ステップＳ１０１で電源投入時であると判定した場合には、停電時の復帰処理を行うか否かを判定する一連の処理を行う（Ｓ１１３〜Ｓ１１５）。そして、停電時の復帰処理を行うと判定した場合には、各制御基板へ復電時のコマンドを送信し（Ｓ１１６）、電源切断前の番地から処理を再開する。これに対し、停電時の復帰処理を行わないと判定した場合には、ステップＳ１０２に移行する。
【００７４】
なお、このメイン処理の制御処理内容の多くは、従来のパチンコ遊技機で採用されているものである。このため、以下では、本発明の要部に係るサブルーチンについての制御処理のみ詳述し、従来機同様の制御処理を行うサブルーチンについての説明は省略する。
【００７５】
次に、上記入賞検出処理（図９、Ｓ１０２）を図１０にしたがって説明する。
【００７６】
まず、主制御用中央制御装置ＣＰＵは、特別始動口２０への入賞があったか否か、すなわち、普通電動役物２３の球検知スイッチから球検出信号の入力があったか否かを判定する（Ｓ２０１）。そして、特別始動口２０への入賞がないと判定した場合は、ステップＳ２０８へ移行する。一方、特別始動口２０への入賞があったと判定した場合は、賞球数四個の賞球コマンドをセットして（Ｓ２０２）、ステップＳ２０３へ移行する。
【００７７】
ステップＳ２０３では、特別始動記憶数ＰがＰ＜４であるか否かを判定し、Ｐ＜４でないと判定した場合は、そのままステップＳ２０８へ移行し、特別始動記憶数Ｐ＜４であると判定した場合は、大当りカウンタ・図柄カウンタ・リーチカウンタ・態様カウンタのその時点の値を抽出し（Ｓ２０４）、ステップＳ２０４で抽出した各カウンタ値を纏めて一個の特別始動記憶として記憶装置ＲＡＭの特別始動記憶領域に格納し（Ｓ２０５）、さらに、特別始動記憶数Ｐに１を加算して（Ｓ２０６）、ステップＳ２０７へ移行する。
【００７８】
ステップＳ２０７では、一般入賞口２８への入賞があったか否か、すなわち、一般入賞装置２９の球検知スイッチから球検出信号の入力があったか否かを判定する。そして、入賞があったと判定した場合は、賞球数１０個の賞球コマンドをセットして（Ｓ２０８）からステップＳ２０９へ移行し、入賞なしと判定した場合はそのままステップＳ２０９へ移行する。
【００７９】
ステップＳ２０９では、普通始動口１９を遊技球が通過したか否か、すなわち普通始動ゲート２１の球検知スイッチから球検出信号の入力があったか否かを判定する。そして、遊技球が通過していないと判定した場合は入賞検出処理を終了する。一方、普通始動口１９を遊技球が通過したと判定した場合は、ステップＳ２１０へ移行する。
【００８０】
ステップＳ２１０では、普通始動記憶数ＱがＱ＜４であるか否かを判定し、Ｑ＜４でないと判定した場合は、そのまま入賞検出処理を終了し、Ｑ＜４であると判定した場合は、普通図柄の当落判定用の普通当りカウンタのその時点の値を抽出し（Ｓ２１１）、抽出したカウンタ値を記憶装置ＲＡＭの普通始動記憶領域に格納し（Ｓ２１２）、さらに、普通始動記憶数Ｑに１を加算して（Ｓ２１３）、入賞検出処理を終了する。
【００８１】
次に、上記大入賞口処理（図９、Ｓ１０９）を図１１にしたがって説明する。
【００８２】
まず、主制御用中央制御装置ＣＰＵは、特別遊技フラグが「１」であるか否かを判定する（Ｓ４０１）。特別遊技フラグは、特別遊技状態中に「１」となるものである。そして、特別遊技フラグが「１」でないと判定した場合は大入賞口処理を終了し、特別遊技フラグが「１」であると判定した場合は、大入賞口開放フラグが「１」であるか否かを判定する（Ｓ４０２）。大入賞口開放フラグは、開放ラウンド中に「１」となるものである。そして、大入賞口開放フラグが「１」であると判定した場合は、開放ラウンド時の制御に係る大入賞口開放処理（Ｓ４０３）を実行し、大入賞口処理を終了する。大入賞口開放処理については後述する。
【００８３】
一方、ステップＳ４０２で、大入賞口開放フラグが「１」でないと判定した場合は、インターバルフラグが「１」であるか否かを判定する（Ｓ４０４）。インターバルフラグは、開放ラウンドのインターバル中に「１」となるものである。そして、インターバルフラグが「１」であると判定した場合は、遅延タイマを更新して（Ｓ４０５）、遅延タイマが「０」であるか否かを判定する（Ｓ４０６）。そして、遅延タイマが「０」でないと判定した場合は、そのまま大入賞口処理を終了し、遅延タイマが「０」であると判定した場合は、インターバルフラグを「０」にするとともに（Ｓ４０７）、大入賞口開放フラグを「１」にし（Ｓ４０８）、続いて、開放タイマに３０秒をセットする（Ｓ４０９）。そして、球通過音演出の開始に係る球通過音演出開始処理を実行し（Ｓ４１０）、最後に、大入賞口２５を開放方向に駆動する駆動ソレノイドをＯＮにしてから（Ｓ４１１）、大入賞口開放処理を終了する。球通過音演出開始処理については後述する。
【００８４】
また、ステップＳ４０４でインターバルフラグが「１」でないと判定した場合は、特別遊技終了フラグが「１」であるか否かを判定する（Ｓ４１２）。特別遊技終了フラグは、全ての開放ラウンドが終了してから通常遊技状態または確変遊技状態に移行するまでの遅延時間に「１」となるものである。そして、特別遊技終了フラグが「１」であると判定した場合は、遅延タイマを更新し（Ｓ４１３）、遅延タイマが「０」であるか否かを判定する（Ｓ４１４）。そして、遅延タイマが「０」でないと判定した場合は、そのまま大入賞口処理を終了し、遅延タイマが「０」であると判定した場合は、特別遊技終了フラグ及び特別遊技フラグを「０」にしてから（Ｓ４１５，Ｓ４１６）、大入賞口処理を終了する。
【００８５】
さらに、ステップＳ４１２で特別遊技終了フラグが「１」でないと判定した場合は、特別遊技状態開始時の遅延期間制御に係る一連の処理を実行する。すなわち、まず、遅延タイマが「０」であるか否かを判定し（Ｓ４１７）、遅延タイマが「０」であると判定した場合は、遅延タイマに遅延時間３秒をセットして（Ｓ４１８）、大入賞口処理を終了する。一方、ステップＳ４１７で、遅延タイマが「０」でないと判定した場合は、遅延タイマを更新し（Ｓ４１９）、さらに、遅延タイマが「０」であるか否かを判定する（Ｓ４２０）。そして、遅延タイマが「０」でないと判定した場合は、そのまま大入賞口処理を終了し、遅延タイマが「０」であると判定した場合は、大入賞口開放フラグを「１」にするとともに（Ｓ４２１）、開放タイマに３０秒をセットし（Ｓ４２２）、さらに、球通過音演出の開始に係る球通過音演出開始処理を実行して（Ｓ４２３）、最後に、駆動ソレノイドをＯＮにして（Ｓ４２４）、大入賞口処理を終了する。
【００８６】
次に、上記大入賞口開放処理（図１１、Ｓ４０３）を図１２にしたがって説明する。
【００８７】
まず、主制御用中央制御装置ＣＰＵは、遅延タイマが「０」であるか否かを判定する（Ｓ６０１）。そして、遅延タイマが「０」であると判定した場合は、大入賞口２５への入賞があったか否か、すなわち特別電動役物２６の球検知スイッチから球検出信号の入力があったか否かを判定する（Ｓ６０２）。そして、大入賞口２５への入賞なしと判定した場合はそのままステップＳ６０７へ移行し、入賞がありと判定した場合は、賞球数１５個の賞球コマンドをセットし（Ｓ６０３）、開放ラウンド中の入賞個数を計数する入賞カウンタＮに「１」を加算して（Ｓ６０４）、さらに、球通過音演出の制御に係る球通過音演出処理（Ｓ６０５）を実行し、大入賞口入賞コマンドをセットしてから（Ｓ６０６）、ステップＳ６０７へ移行する。
【００８８】
ステップＳ６０７では開放タイマを更新する。そして、続くステップＳ６０８，Ｓ６０９では、開放タイマが「０」であるか否か、入賞カウンタＮが「１０」であるか否かを判定する。ここで、開放タイマが「０」でなく、かつ、入賞カウンタＮが「１０」でない場合は、開放ラウンドを継続することとして、そのまま大入賞口開放処理を終了する。一方、ステップＳ６０８，Ｓ６０９で、開放タイマが「０」である、又は、入賞カウンタＮが「１０」であると判定した場合は、開放ラウンドを終了することとして、開放ラウンドのラウンド数を計数するラウンドカウンタＲに「１」を加算し（Ｓ６１０）、大入賞口２５を開放方向に駆動する駆動ソレノイドをＯＦＦにし（Ｓ６１１）、さらに、開放ラウンドを終了するまでの遅延時間（１秒）を遅延タイマにセットしてから（Ｓ６１２）、大入賞口開放処理を終了する。
【００８９】
一方、ステップＳ６０１で、遅延タイマが「０」でないと判定した場合は、遅延タイマを更新し（Ｓ６１３）、さらに、遅延タイマが「０」であるか否かを判定する（Ｓ６１４）。そして、遅延タイマが０でないと判定した場合は、そのまま大入賞口開放処理を終了し、遅延タイマが「０」であると判定した場合は、入賞カウンタＮをＮ＝０にして（Ｓ６１５）、大入賞口開放フラグを「０」にして（Ｓ６１６）、さらに、球通過音演出フラグを「０」にしてから（Ｓ６１７）、ステップＳ６１８へ移行する。球通過音演出フラグは、当該開放ラウンドで球通過音演出を実行する場合に「１」となるものである。ステップＳ６１８では、ラウンドカウンタＲがＲ＝１６であるか否かを判定する。そして、ラウンドカウンタＲがＲ＝１６であると判定した場合は、特別遊技終了フラグを「１」として（Ｓ６１９）、特別遊技状態を終了するまでの遅延時間（３秒）を遅延タイマにセットし（Ｓ６２０）、ラウンドカウンタＲをＲ＝０にしてから（Ｓ６２１）、大入賞口開放処理を終了する。一方、ステップＳ６１９で、ラウンドカウンタＲがＲ＝１６でないと判定した場合は、インターバルフラグを「１」とし（Ｓ６２２）、インターバル期間（５秒）を遅延タイマにセットしてから（Ｓ６２３）、大入賞口開放処理を終了する。
【００９０】
次に、上記球通過音演出開始処理（図１１、Ｓ３１０，３２３）を図１３にしたがって説明する。
まず、主制御用中央制御装置ＣＰＵは、乱数値として球通過音演出カウンタからその時点の値を抽出する（Ｓ５０１）。次に、抽出した球通過音演出カウンタ値と確変フラグの値を、図８の判定テーブルと比較することにより球通過音演出の実行可否と、実行する場合の球通過音演出の種類を決定する（Ｓ５０２）、続いて、ステップＳ５０２で球通過音演出を開始すると決定したか否かを判定し（Ｓ５０３）、球通過音演出を開始しないと決定したと判定した場合は、そのまま球通過音演出開始処理を終了する。一方、球通過音演出を開始すると決定したと判定した場合は、球通過音演出フラグを「１」にして（Ｓ５０４）、決定した球通過音演出の種類に対応する球通過音演出実行コマンドをセットしてから（Ｓ５０５）、球通過音演出開始処理を終了する。
【００９１】
次に、上記球通過音演出処理（図１２、Ｓ４０５）を図１４にしたがって説明する。
まず、主制御用中央制御装置ＣＰＵは、球通過音演出フラグが「１」であるか否かを判定し（Ｓ６０１）、球通過音演出フラグが「１」でないと判定した場合は、そのまま球通過音演出処理を終了する。一方、球通過音演出フラグが「１」であると判定した場合は、ステップＳ６０２，Ｓ６０３で、入賞カウンタＮがＮ＝１であるか否か、及び、球通過音演出タイマが「０」であるか否かを判定する。球通過音演出タイマは、連続球通過音演出の有効期間を計測するためのものである。そして、ステップＳ６０２，Ｓ６０３で、入賞カウンタＮがＮ＝１でなく、かつ、球通過音演出タイマが「０」であると判定した場合は、球通過音演出フラグを「０」にして（Ｓ６０４）、球通過音演出コマンドをセットしてから（Ｓ６０５）、球通過音演出処理を終了する。一方、ステップＳ６０２，Ｓ６０３で、入賞カウンタＮがＮ＝１である、または、球通過音演出タイマが「０」でないと判定した場合は、球通過音演出タイマに５秒をセットして（Ｓ６０６）、球通過音演出処理を終了する。
【００９２】
なお、本発明のパチンコ遊技機は、上記実施例及び変形例の形態に限らず本発明の要旨を逸脱しない範囲内において種々変更を加えることができる。例えば、上記実施例では、連続球通過音演出の種類によって、確変移行期待度を報知するようにしているが、本発明に係る連続球通過音演出により示唆・報知する遊技の状態は、確変移行期待度に限られず適宜変更可能である。例えば、特別遊技状態で実行する開放ラウンドの回数を変化させる機種にあっては、実行する連続球通過音演出の種類によって当該特別遊技状態中に実行される開放ラウンドの回数を示唆・報知することが挙げられる。
【００９３】
また、上記実施例では、メロディー（一連の演出音）を一音ずつの部分演出音に時間分割してスピーカ２２から出力するようにしているが、本発明に係る連続球通過音演出は、「ドレ」、「ミファ」、「ソラ」のように二音以上の部分演出音に時間分割して出力することもできる。また、連続球通過音演出で出力する一連の演出音は、メロディーに限らず歌のフレーズであっても構わないし、キャラクターの決め台詞であっても構わない。
【００９４】
また、上記実施例では、大入賞口２５を１つ備える構成であるが、大入賞口を２つ備えるパチンコ遊技機に本発明を適用する場合は、少なくとも一方の大入賞口への入賞に対して、連続球通過音演出が実行すれば足りる。
【００９５】
また、上記実施例では、三種類の連続球通過音演出が、部分演出音の音程の相違するメロディーとなっていたが、下記のように、連続球通過音演出は、メロディーの長さによって相違させるようにしても構わない。
連続球通過音演出１：「ドレミファ」
連続球通過音演出２：「ドレミファソラ」
連続球通過音演出３：「ドレミファソラシド」
【００９６】
また、上記実施例では、球通過音演出の開始時に、演出の種類を完全に決定しているが、上記実施例のように、球通過音演出の開始部分の部分演出音が共通している場合は、球通過音演出を開始した後に、演出の種類を決定するようにしても構わない。
【００９７】
また、上記実施例では、連続球通過音演出が有効期間の経過により途中終了する場合に遊技者に何も報知していないが、特定の音を出力したり、メッセージを画像表示器１４に表示したりすることで、連続球通過音演出の途中終了を遊技者に報知するようにしてもよい。
【００９８】
上記実施例では、球通過音演出の実行可否や種類を主制御基板６０で決定しているが、球通過音演出の制御は、全て演出制御基板６４で実行するようにしてもよい。
【００９９】
また、連続球通過音演出の部分演出音は、遊技球が所定の大入賞口２５を通過するのと略同期して出力されればよく、必ずしも完全に同期させる必要はない。例えば、部分演出音の出力中に、次の遊技球が大入賞口２５を通過した場合は、出力中の部分演出音の出力終了後に、次の部分演出音を出力するようにしてもよい。
【符号の説明】
【０１００】
１  パチンコ遊技機
１０  遊技盤
２５  大入賞口
２６  特別電動役物
６０  主制御基板
６４  演出制御基板
６６  音源制御基板
６７  光源制御基板
【図１】
2015150231.tif 000003
【図２】
2015150231.tif 000004
【図３】
2015150231.tif 000005
【図４】
2015150231.tif 000006
【図５】
2015150231.tif 000007
【図６】
2015150231.tif 000008
【図７】
2015150231.tif 000009
【図８】
2015150231.tif 000010
【図９】
2015150231.tif 000011
【図１０】
2015150231.tif 000012
【図１１】
2015150231.tif 000013
【図１２】
2015150231.tif 000014
【図１３】
2015150231.tif 000015
【図１４】
2015150231.tif 000016